(57)【要約】【課題】再敷設するタイルカーペットのロットの違いによる色調の差を考慮して敷設エリアにおけるタイルカーペットの質感を確保する。【手段】タイルカーペット再利用システム５は、敷設後撤去された再納品タイルカーペットに関する情報の入力を受け付け、品番、ロット情報、及び、保管時期を示す情報を対応付けて記録する登録部５１と、新たに敷設しようとするタイルカーペットの品番、及び、敷設エリア毎の数量の入力を受け付ける要求受付部５２と、ロット情報及び保管時期が予め決められた条件を満たす再納品タイルカーペットを、敷設エリア毎に、受け付けた数量ずつ抽出する抽出部５３と、抽出部５３が抽出した再納品タイルカーペットの情報を出力する出力部５４と、を備える。【選択図】図２
2019133338.tif 000002
【特許請求の範囲】
【請求項１】
敷設された後撤去された再納品タイルカーペットに関する情報の入力を受け付け、前記再納品タイルカーペットの品番、ロット情報、及び、保管時期を示す情報を対応付けて記録部に記録する登録部と、
新たに敷設しようとするタイルカーペットの品番、及び、敷設エリア毎のタイルカーペットの数量の入力を受け付ける要求受付部と、
前記記録部にアクセスして、前記要求受付部で受け付けた前記品番と同じ品番の再納品タイルカーペットであって、前記ロット情報及び前記保管時期が予め決められた条件を満たす再納品タイルカーペットを、前記敷設エリア毎に、前記要求受付部が受け付けた数量ずつ抽出する抽出部と、
前記抽出部が抽出した再納品タイルカーペットの情報を、前記敷設エリアに敷設するためのタイルカーペットの情報として出力する出力部と、を備える、タイルカーペット再利用システム。
【請求項２】
請求項１に記載のタイルカーペット再利用システムであって、
前記抽出部は、各敷設エリアにおいて、前記要求受付部が受け付けた各敷設エリアの数量の再納品タイルカーペットを、前記各敷設エリアのタイルカーペットのロット数が予め決められた範囲内となるように抽出する、タイルカーペット再利用システム。
【請求項３】
請求項２に記載のタイルカーペット再利用システムであって、
前記抽出部は、各敷設エリアにおいて、前記要求受付部が受け付けた各敷設エリアの数量の再納品タイルカーペットを、前記ロット数が予め決められた範囲内となるように、前記保管時期が早い順に抽出する、タイルカーペット再利用システム。
【請求項４】
請求項１〜３のいずれか１項に記載のタイルカーペット再利用システムであって、
保管場所において、品番及びロットが同じ複数の前記再納品タイルカーペットが、１つの箱の中又は１つのパレット上に配置されて保管され、
前記登録部は、前記品番、前記ロット情報、前記保管時期、及び前記箱又はパレットを特定する情報を対応付けて、前記記録部に記録し、
前記抽出部は、前記条件を満たす再納品タイルカーペットの箱又はパレットを特定する情報を抽出し、
前記出力部は、前記抽出部が抽出した箱又はパレットの情報を、前記敷設エリアに敷設するためのタイルカーペットの情報として出力する、タイルカーペット再利用システム。
【請求項５】
請求項４に記載のタイルカーペット再利用システムであって、
前記登録部は、前記箱又はパレットを特定する情報として、前記保管場所における前記箱又は前記パレットの位置を示す情報を、前記記録部に記録し、
前記出力部は、前記抽出部が抽出した箱又はパレットの前記保管場所における位置を示す情報を、前記敷設エリアに敷設するためのタイルカーペットの情報として出力する、タイルカーペット再利用システム。
【請求項６】
再納品タイルカーペットの再利用方法であって、
品番及びロット情報が付されたタイルカーペットを撤去し、再納品タイルカーペットとして運搬する工程と、
前記各再納品タイルカーペットに対して汚染度を判定し、判定結果に応じて、洗浄するか否か、及び再利用するか否かの選別を行う選別工程と、
前記選別工程で洗浄する且つ再利用すると判断された再納品タイルカーペットを洗浄する洗浄工程と、
敷設エリア毎に指定された品番及び数量のタイルカーペットの要求を受けた場合に、前記再納品タイルカーペットから、前記指定された品番と同じ品番の再納品タイルカーペットであって、前記ロット情報が予め決められた条件を満たす再納品タイルカーペットから前記敷設エリア毎に指定された数量を取り出す取出工程とを有する、再納品タイルカーペットの再利用方法。
【請求項７】
請求項６に記載の再納品タイルカーペットの再利用方法であって、
前記洗浄工程で洗浄された前記再納品タイルカーペットに付されたロット情報に対して、洗浄したことを示す情報を付加する工程をさらに含み、
前記取出工程では、洗浄したことを示す情報が付加されたロット情報が付された再納品タイルカーペットは、前記洗浄したことを示す情報が付加されていない同じロット情報が付された再納品タイルカーペットとは異なるロットとして前記取り出しが行われる、再納品タイルカーペットの再利用方法。
【請求項８】
請求項６又は７に記載の再納品タイルカーペットの再利用方法であって、
前記取り出した再納品タイルカーペットを運搬して、前記敷設エリアに敷設する施工工程をさらに含み、
前記施工工程において、前記敷設エリアの中央部と周辺部に異なるロットのタイルカーペットを配置する、再納品タイルカーペットの再利用方法。
【発明の詳細な説明】
【技術分野】
【０００１】
本発明は、敷設場所から撤去したタイルカーペットの再利用システム及び再利用方法に関する。
【背景技術】
【０００２】
従来、使用済みのタイルカーペットを洗浄して再利用する方法が提案されている。例えば、特開２００２−７０２９９号公報（特許文献１）には、撤去されたタイルカーペットをロールブラシで圧迫しながら洗浄することが開示されている。さらに、洗浄して可能な限り新品同様に仕上げられたタイルカーペットと、新品タイルカーペットを組み合わせて、下地に再敷設することが開示されている。
【０００３】
また、特開２００３−４１７５９号公報（特許文献２）には、使用不可能になったタイルカーペットを粉砕したものを減容処理して、熱可塑性樹脂が含浸固着した高密度繊維集合体を生成することが開示されている。この高密繊維集合体の粉粒体を熱圧成形したものを裏打ち層として、この裏打ち層上に、表面パイルを積層することでタイルカーペットを得ることが開示されている。
【先行技術文献】
【特許文献】
【０００４】
【特許文献１】特開２００２−７０２９９号公報
【特許文献２】特開２００３−４１７５９号公報
【発明の概要】
【発明が解決しようとする課題】
【０００５】
上記特許文献１及び２のような再利用技術が知られているものの、まだ使える状態のタイルカーペットが、再利用されずに廃棄されることがある。例えば、賃貸オフィスビルの新築時には、ビル標準のタイルカーペットがビルの床に敷設される。入居者がビルの一室に入居するとき、床の一部又は全部のタイルカーペットを自前のものと交換する場合がある。この場合、元のビル標準のタイルカーペットは、新品同様の状態であるにも関わらず廃棄されることが多い。
【０００６】
発明者らは、このように従来は破棄されていたタイルカーペットを買い取って保管しておき、必要に応じて提供する仕組みを検討した。この検討において、発明者らは、次のような課題を見出した。例えば、タイルカーペットを敷設した者と、タイルカーペットを撤去し保管する者とが異なる場合、撤去したタイルカーペットについては、ロット情報が不明になる。そのため、撤去して保管しておいたタイルカーペットを再敷設する際に、１つの敷設エリアに品番は同じだがロットが異なる複数のタイルカーペットが敷設され得る。品番が同じでもロットが異なるとタイルカーペットの外観が微妙に異なる場合がある。この場合、再敷設された１つの敷設エリアにおける複数のタイルカーペット間に微妙な色調の差が視認される可能性があることがわかった。
【０００７】
そこで、本発明は、再敷設したタイルカーペットにおいてロットの違いによる色調の差を考慮し、敷設エリアにおけるタイルカーペットの質感を確保することができるタイルカーペット再利用システム及びタイルカーペットの再利用方法を提供することを目的とする。
【課題を解決するための手段】
【０００８】
本発明の１つの観点によるタイルカーペット再利用システムは、敷設された後撤去された再納品タイルカーペットに関する情報の入力を受け付け、前記再納品タイルカーペットの品番、ロット情報、及び、保管時期を示す情報を対応付けて記録部に記録する登録部と、新たに敷設しようとするタイルカーペットの品番、及び、敷設エリア毎のタイルカーペットの数量の入力を受け付ける要求受付部と、前記記録部にアクセスして、前記要求受付部で受け付けた前記品番と同じ品番の再納品タイルカーペットであって、前記ロット情報及び前記保管時期が予め決められた条件を満たす再納品タイルカーペットを、前記敷設エリア毎に、前記要求受付部が受け付けた数量ずつ抽出する抽出部と、前記抽出部が抽出した再納品タイルカーペットの情報を、前記敷設エリアに敷設するためのタイルカーペットの情報として出力する出力部と、を備える。
【０００９】
上記構成によれば、撤去されて保管場所に載置される再納品タイルカーペットの品番、ロット情報、及び保管時期を示す情報が対応づけられて記録される。これにより、撤去された再納品タイルカーペットのロット情報が保存される。抽出部は、要求受付部で受け付けた品番で、各敷設エリアで必要される数量の再納品タイルカーペットの情報を、記録部から抽出する。抽出部は、敷設エリア毎に、ロット情報及び保管時期が予め決められた条件を満たす再納品タイルカーペットを抽出する。これにより、品番のみならず、ロット及び保管時期を考慮して、各敷設エリアに敷設するための再納品タイルカーペットを抽出することができる。抽出部が抽出した再納品タイルカーペットの情報は、敷設エリアに敷設するためのタイルカーペットの情報として出力される。そのため、敷設エリアにおいてロットの違いによる色調の差を考慮した再納品タイルカーペットを抽出し、その情報を出力することができる。これにより、敷設エリアにおける再納品タイルカーペットのロットの違いによる色調の差を考慮し、タイルカーペットの質感を確保することができる。なお、再納品タイルカーペットには、一旦敷設された後に撤去されたタイルカーペットすなわち敷設済みタイルカーペットが含まれる。例えば、敷設エリアに敷設された後、その敷設エリアに入居者が入居する前に撤去された新品同様のタイルカーペットも、再納品タイルカーペットとなる。再納品タイルカーペットは、中古タイルカーペットと称することもできる。
【００１０】
ここで、ロット情報は、製造ロットを識別する情報である。例えば、同じ製造ラインを用いた一回の製造すなわち、製造ライン一回の稼働で生産された１つの品番のタイルカーペットは、同じロットとなる。一回の製造で生産された同じ品番のタイルカーペットは、仕上がりが均一に近くなる。ロットが異なると同じ品番のタイルカーペットでも仕上がりが少し異なる場合がある。例えば、同じ製造ラインを用いて同じ品番のタイルカーペットを異なる日に製造した場合、製造日によってタイルカーペットの仕上がりが少し異なる。製造ライン及び品番が同じでも、製造日が異なる場合は、ロットが異なる。同じ日に同じ製造ラインで同じ品番のタイルカーペットを複数回に分けて製造した場合、回ごとにロットが異なることになる。１回の製造で製造される量すなわち１ロットの数量は、特に限定されない。受注、在庫その他の状況に応じて、１ロットの数量は適宜設定される。ロット情報は、例えば、ロット識別コードとすることができる。ロット識別コードは、例えば、ロットを示す番号、文字列又はバーコード等で表すことができる。
【００１１】
敷設エリアは、１つの品番のタイルカーペットが敷設される領域の単位である。１つの敷設エリアに敷設される同じ品番の複数のタイルカーペットの外観は、敷設エリア内においてある程度均一であることが好ましい。すなわち、敷設エリアは、タイルカーペットの均一性が求められる敷設領域の単位である。例えば、区切りのない１つの部屋を１つの敷設エリアとすることができる。また、１つの部屋にパーティションや壁等で区切られた複数の区画がある場合は、各区画を１つの敷設エリアとしてもよい。また、例えば、ビルの１フロアに、複数の敷設エリアがあってもよい。
【００１２】
上記システムにおいて、前記抽出部は、各敷設エリアにおいて、前記要求受付部が受け付けた各敷設エリアの数量の再納品タイルカーペットを、前記各敷設エリアのタイルカーペットのロット数が予め決められた範囲内となるように抽出してもよい。これにより、各敷設エリアに敷設される再納品タイルカーペットのロットのばらつきを予め決められた範囲内とすることができる。そのため、例えば、敷設エリアにおいてロットの違いによる色むらをより起こりにくくできる上、敷設されたタイルカーペットの一体感を高めることができる。これにより、ロットの違いによる色調の差を考慮して、敷設エリアにおけるタイルカーペットの質感を新品同様に維持又は向上させることができる。
【００１３】
上記システムにおいて、前記抽出部は、各敷設エリアにおいて、前記要求受付部が受け付けた各敷設エリアの数量の再納品タイルカーペットを、前記ロット数が予め決められた範囲内となるように、前記保管時期が早い順に抽出してもよい。これにより、各敷設エリアに敷設される再納品タイルカーペットのロットのばらつきを予め決められた範囲内とし、且つ、保管期間が長いものを優先して再利用することができる。そのため、例えば、敷設エリアにおいてロットの違い及び保管期間の違いによる色むらをより起こりにくくでき、敷設されたカーペットの一体感を高めることができる。また、再納品タイルカーペットの保管期間を短くし、倉庫に保管されている再納品タイルカーペットのロット差を縮小することが可能となる。
【００１４】
上記システムにおいて、前記保管場所では、品番及びロットが同じ複数の前記再納品タイルカーペットが、１つの箱の中又は１つのパレット上に配置されて保管されてもよい。前記登録部は、前記品番、前記ロット情報、前記保管時期、及び前記箱又はパレットを特定する情報を対応付けて、前記記録部に記録することができる。この場合、前記抽出部は、前記条件を満たす再納品タイルカーペットの箱又はパレットを特定する情報を抽出してもよい。前記出力部は、前記抽出部が抽出した箱又はパレットの情報を、前記敷設エリアに敷設するためのタイルカーペットの情報として出力してもよい。これにより、再納品タイルカーペットの保管場所への載置、取り出し、及び運搬の作業効率を高めることができる。これらの作業効率の向上により、再納品タイルカーペットが撤去されてから再び納品されるまでの期間を短縮するこができる。そのため、再納品カーペットのロット差をさらに縮小できる。その結果、例えば、敷設エリアにおける色むらの解消とカーペットの一体感の向上といった、タイルカーペットの質感を確保する効果をより高めることができる。
【００１５】
上記システムにおいて、前記登録部は、前記箱又はパレットを特定する情報として、前記保管場所における前記箱又は前記パレットの位置を示す情報を、前記記録部に記録してもよい。前記出力部は、前記抽出部が抽出した箱又はパレットの前記保管場所における位置を示す情報を、前記敷設エリアに敷設するためのタイルカーペットの情報として出力してもよい。これにより、再納品タイルカーペットの保管場所への載置、取り出し、及び運搬の作業効率をより高めることができる。これらの作業効率の向上により、再納品タイルカーペットが再び納品されるまでの期間を短縮するこができる。その結果、タイルカーペットの質感を確保する効果をより高めることができる。
【００１６】
本発明の１つの観点による再納品タイルカーペットの再利用方法は、品番及びロット情報が付されたタイルカーペットを撤去し、再納品タイルカーペットとして運搬する工程と、前記各再納品タイルカーペットに対して汚染度を判定し、判定結果に応じて、洗浄するか否か、及び再利用するか否かの選別を行う選別工程と、前記選別工程で洗浄する且つ再利用すると判断された再納品タイルカーペットを洗浄する洗浄工程と、敷設エリア毎に指定された品番及び数量のタイルカーペットの要求を受けた場合に、前記再納品タイルカーペットから、前記指定された品番と同じ品番の再納品タイルカーペットであって、前記ロット情報が予め決められた条件を満たす再納品タイルカーペットから前記敷設エリア毎に指定された数量を取り出す取出工程とを有する。
【００１７】
上記方法によれば、品番及びロット情報が付されたタイルカーペットが用いられる。これにより、例えば、タイルカーペットを敷設した者と撤去した者が異なる場合であっても、タイルカーペットのロット情報が失われることはない。撤去後の各工程において、各再納品タイルカーペットのロット情報を追跡可能となる。撤去された再納品タイルカーペットは、汚染度が判定され、洗浄するか否か、及び再利用するか否かを選別される。また、判定及び選別により、洗浄対象の再納品タイルカーペットを絞ることができる。取出工程では、指定された品番の再納品タイルカーペットであって、ロット情報が予め決められた条件を満たす再納品タイルカーペットが敷設エリア毎に指定された数量取り出される。この取出工程は、作業者が行ってもよいし、機械により自動的に行われてもよい。これにより、品番のみならず、ロットを考慮して、各敷設エリアに敷設するための再納品タイルカーペットを選び、取り出すことができる。そのため、敷設エリアにおいてロットの違いによる色調の差を考慮し、敷設エリアにおけるタイルカーペットの質感を確保することができる。
【００１８】
上記方法において、再納品タイルカーペットは、台車に載せて運搬することができる。この場合、上記方法は、再納品タイルカーペットを台車から洗浄ラインに移す工程をさらに有してもよい。選別工程では、洗浄ライン上の再納品タイルカーペットに対して汚染度を判定し、選別を行うことができる。このように、洗浄ライン上で、判定及び選別を行うことで、作業効率が高くなる。
【００１９】
上記方法は、同じ品番及び同じロット情報が付された複数の再納品タイルカーペットを保管場所に配置する保管工程を有していてもよい。このように再納品タイルカーペットを保管場所に配置することにより、ロット情報及び保管時期に基づく再納品タイルカーペットの管理及び取出の作業効率が高くなる。
【００２０】
上記方法において、保管場所において、同じ品番及び同じロット情報が付された複数の再納品タイルカーペットが、まとめて積載されることが好ましい。例えば、同じ品番及び同じロット情報が付された複数の再納品タイルカーペットを、同じパレットに積載した状態、又は、同じ箱に入れた状態で、保管することができる。これにより、品番だけでなくロットを考慮した再納品タイルカーペットの管理や取り出しがしやすくなり、作業効率が高くなる。上記の作業効率の向上により、再納品タイルカーペットが再び納品されるまでの期間を短縮するこができる。その結果、タイルカーペットの質感を確保する効果をより高めることができる。
【００２１】
上記方法は、前記取出工程で取り出した再納品タイルカーペットを運搬して、前記敷設エリアに敷設する施工工程をさらに有してもよい。一例として、撤去された再納品タイルカーペットを保管場所に保管することなく運搬して、前記敷設エリアに敷設する施工工程にそのまま移行しても良い。このような方法をとることによって、撤去から再敷設までの期間をさらに短縮できる。その結果、ロット差を小さくして色むらの解消やカーペットの一体感の向上といった効果を高めることができる。或いは、撤去された再納品タイルカーペットを、一旦、保管場所に保管した後、保管場所から条件に合うものを取り出して運搬し、敷設エリアに敷設することもできる。これにより、再納品タイルカーペットの管理を効率良く行うことができる。その結果、より効率良く、ロットの違いによる色調の差を考慮して、敷設エリアにおけるタイルカーペットの質感を確保することができる。
【００２２】
上記方法において、前記取出工程では、各敷設エリアについて前記指定された数量の再納品タイルカーペットを、前記ロット数が予め決められた範囲内となるように取り出すことができる。これにより、各敷設エリアに敷設される再納品タイルカーペットのロットのばらつきを予め決められた範囲内とすることができる。そのため、敷設エリアにおいてロットの違いによる色むらをより起こりにくくでき、敷設されたカーペットの一体感を高めることができる。
【００２３】
上記方法において、前記取出工程では、各敷設エリアについて前記指定された数量の再納品タイルカーペットを、前記ロット数が予め決められた範囲内となるように、前記保管時期が早いものから先に取り出すことができる。これにより、各敷設エリアに敷設される再納品タイルカーペットのロットのばらつきを予め決められた範囲内とし、且つ、保管期間が長いものを優先して再利用することができる。そのため、敷設エリアにおいてロットの違い及び保管期間の違いによる色むらをより起こりにくくでき、敷設されたカーペットの一体感を高めることができる。また、再納品タイルカーペットの保管期間を短くすることができる。
【００２４】
上記方法は、前記洗浄工程で洗浄された前記再納品タイルカーペットに付されたロット情報に対して、洗浄したことを示す情報を付加する工程をさらに含んでもよい。この場合、前記保管工程及び前記取出工程では、洗浄したことを示す情報が付加されたロット情報が付された再納品タイルカーペットは、前記洗浄したことを示す情報が付加されていない同じロット情報が付された再納品タイルカーペットとは異なるロットとして前記取り出しを行うことができる。これにより、洗浄した再納品タイルカーペットは、洗浄していない再納品タイルカーペットとは異なるロットとして取り扱うことができる。そのため、敷設エリアにおいて、ロット及び洗浄の違いよる色調の差を考慮して、敷設エリアにおけるタイルカーペットの質感を確保することができる。
【００２５】
上記方法は、前記取り出した再納品タイルカーペットを運搬して、前記敷設エリアに敷設する施工工程をさらに含んでもよい。前記施工工程では、前記敷設エリアの中央部と周辺部に異なるロットのタイルカーペットを配置することができる。これにより、敷設エリアにおけるロットの違いによる色調の差を考慮して、敷設エリアにおけるタイルカーペット全体の質感を向上させることができる。
【００２６】
上記方法及びシステムにおいて、前記タイルカーペットは、染色した原着繊維のパイル糸を基布にタフトした表面パイルを裏打ち層に積層した構成とすることが好ましい。このような構成をとることにより、色落ちしにくく、再利用に適したタイルカーペットを用いることができる。
【００２７】
上記方法の取出工程において、前記保管場所から、前記ロット情報が予め決められた条件を満たす再納品タイルカーペットを、前記敷設エリア毎に指定された数量だけ取り出すことができない場合、不足分は、新品のタイルカーペットで補充することができる。この場合、再納品タイルカーペットのロット数及び新品のタイルカーペットのロット数を併せた総ロット数が予め決められた範囲内となるようにすることが好ましい。
【００２８】
上記方法は、前記選別工程において、洗浄も、再利用もしないと判断された再納品タイルカーペットを減容処理することで、再生材料を生成する工程と、前記再生材料を用いて、新たにタイルカーペットを生産する工程とを、さらに有してもよい。この場合、前記取出工程で取り出した再納品タイルカーペットが、前記敷設エリア毎に指定された数量に満たない場合の不足分の少なくとも一部を、前記再生材料を用いて生産されたタイルカーペットで補ってもよい。
【００２９】
再生材料を用いて生産されたタイルカーペットは、一旦保管場所に保管された後、敷設エリアに運搬することができる。これにより、再納品タイルカーペットとともに、再生材料を含むタイルカーペットを保管場所で管理することができる。そのため、ロット情報及び保管時期の条件を満たすタイルカーペットの抽出及び取出の作業効率が高くなる。或いは、再生材料を用いて生産されたタイルカーペットを、保管場所を経由せず、敷設エリアに運搬して、敷設してもよい。これにより生産から敷設までの期間をさらに短縮できる。その結果、タイルカーペットの質感の確保効果を高めることができる。
【００３０】
上記システムにおいて、前記抽出部が、前記ロット情報及び前記保管時期が予め決められた条件を満たす再納品タイルカーペットを、前記要求受付部が受け付けた数量だけ抽出できない場合、前記出力部は、不足分を、新品のタイルカーペットで補充することを指示する情報を出力してもよい。
【発明の効果】
【００３１】
本発明によれば、再敷設したタイルカーペットにおいてロットの違いによる色調の差を考慮し、敷設エリアにおけるタイルカーペットの質感を確保することができる。
【図面の簡単な説明】
【００３２】
【図１】本実施形態における再利用方法のフローを示す図
【図２】本実施形態における再利用方法を実現するための設備の全体構成の一例を示す図
【図３】施設Ａに敷設されるタイルカーペットの品番とロットの一例を示す図
【図４】図３に示す施設Ａに敷設されたタイルカーペットのデータ構成例を示す図
【図５】タイルカーペットの表面と裏面の例を示す図
【図６Ａ】タイルカーペット専用の台車の構成例を示す上面図
【図６Ｂ】図６Ａに示す台車を矢印Ｂの方向から見た構成例を示す側面図
【図６Ｃ】図６Ａに示す台車を矢印Ｃの方向から見た構成例を示す側面図
【図６Ｄ】図６Ａ〜図６Ｃに示す台車を下方から見た構成例を示す下面図
【図６Ｅ】図６Ａ〜図６Ｄに示す台車を上下に２台重ねた状態を示す図
【図７】保管場所における棚及び再納品ＴＣＰの例を示す図
【図８】タイルカーペット再利用システムの構成例を示す機能ブロック図
【図９】再納品タイルカーペットのデータの構成例を示す図
【図１０】再納品ＴＣＰを抽出し出力する処理の一例を示すフローチャート
【図１１】敷設エリアに敷設される再納品タイルカーペットの配置例を説明するための図
【図１２】洗浄工程の例を示す図
【図１３】洗浄ラインの構成例を示す図
【発明を実施するための形態】
【００３３】
本実施形態は、再納品タイルカーペット（以下、再納品ＴＣＰと称する）の再利用方法及び再納品ＴＣＰ再利用システムに関する。図１は、本実施形態における再利用方法のフローを示す図である。図２は、本実施形態における再利用方法を実現するための設備の全体構成の一例を示す図である。
【００３４】
図１に示す再利用方法は、施設に敷設されたタイルカーペットを撤去する工程（Ｓ１）を有する。ここでは、一例として、施設が賃貸オフィスビルであり、ビルの新築時に敷設されたタイルカーペットを入居者が自前のタイルカーペットに交換する場合について説明する。この場合、ビルの新築時に敷設されたタイルカーペットが撤去される。撤去作業において、タイルカーペットが床から引き剥がされる。
【００３５】
賃貸オフィスビルでは、１つの施設（ビル）の新築時には、単一の品番のタイルカーペットが敷設されることが多い。この場合、施設の各フロアの各エリアに敷設されるタイルカーペットは、同じ品番で同じロットとすることが好ましい。図３は、１つの施設Ａに敷設されるタイルカーペットの品番とロットの一例を示す模式図である。当該図面は、施設Ａの階層を模式的に示した図であり、フロアは階数を、エリアは店舗、事務所などのタイルカーペットを敷設する単位となる領域を表す。施設に敷設されるタイルカーペットの情報は、例えば、後述する再納品ＴＣＰ再利用システムに記録しておくことができる。図４は、図３に示す施設Ａに敷設されたタイルカーペットのデータ構成例を示す図である。図４に示す例では、施設情報、フロア、エリア、敷設されるタイルカーペットの品番及びロット識別コードが、対応づけられて記録される。
【００３６】
図５は、タイルカーペット１の表面と裏面の例を示す図である。図５に示す例では、タイルカーペット１の裏面に、品番Ｌ１と、ロット識別コードＬ２が刻印される。図５では、品番Ｌ１として「品番１」、ロット識別コードＬ２として「ロット番号３４２」が刻印されている。これらの刻印は、例えば、レーザー印字によりなされる。このように、品番とロット識別コードをタイルカーペットの裏面に刻印することにより、撤去者が、タイルカーペットの情報を持っていない場合でも、撤去したタイルカーペットの品番とロットを知ることができる。なお、タイルカーペットに品番とロット情報を付する形態は、図５に示す一例に限られない。例えば、タイルカーペットの裏面にロット情報を印刷してもよい。例えば、ロット情報は、文字、バーコード、又は、ＱＲコード（登録商標）等で表すことができる。また、ＩＣタグなどのデータ読み取り可能な記録媒体をタイルカーペットに埋め込み、ロット情報を記録媒体に記録してもよい。
【００３７】
Ｓ１で撤去されたタイルカーペットは、再納品ＴＣＰとして運搬される（Ｓ２）。例えば、再納品ＴＣＰは、台車に載せて運搬することができる。台車は、タイルカーペット専用のものを用いることが好ましい。
【００３８】
図６Ａは、タイルカーペット専用の台車の構成例を示す上面図である。図６Ｂは、図６Ａに示す台車を矢印Ｂの方向から見た構成例を示す側面図である。図６Ｃは、図６Ａに示す台車を矢印Ｃの方向から見た構成例を示す側面図である。図６Ｄは、図６Ａ〜図６Ｃに示す台車を下方（図６Ｂの矢印Ｄの方向）から見た構成例を示す下面図である。図６Ｅは、図６Ａ〜図６Ｄに示す台車を上下に２台重ねた状態を示す図である。
【００３９】
図６Ａ〜図６Ｃに示す例では、台車２は、タイルカーペット１を載置する面を有する台２３と、台２３の下面に取り付けられた車輪２４と、台２３の四隅から上方に延びる４つの柱２１を有する。台２３の表面の面積は、タイルカーペット１の１つ分の面積より少し大きい。すなわち、台２３の広さは、タイルカーペット１が１つ載せられる広さとすることができる。これによって、台車２の横幅を小さくし、また台車２の重量も小さくできる。そのため、台車２のハンドリング（操作性）が向上する。なお、対象とするタイルカーペットのサイズは、例えば、５０ｃｍ×５０ｃｍとすることができる。４つの柱２１を角とする四角形の互いに対向する一対の辺に相当する部分には、２つの柱２１の間をつなぐ横棒２２が設けられる。横棒２２が設けられる辺以外の辺に相当する部分には、横棒２２が設けられない。このように、２辺に横棒２２を設け、他の２辺に横棒を設けない構成とすることで、タイルカーペットの台２３への積み降ろしがしやすくなる。なお、台２３の広さは、タイルカーペット１が１つ載せられる広さとしたが、これに限られず、例えば、２つ又は４つのタイルカーペットを載せられる広さとしてもよい。この場合、１台の台車でより多くのタイルカーペットを運搬することができる。
【００４０】
図６Ｅに示すように、台車２は、タイルカーペットを載せた２台の台車２を上下に２つ重ねることができる構成となっている。本例では、台車２の４つの柱２１の高さが同じである。４つの柱２１の上端が、台車２の最上端になっている。これにより、ある１つの台車２の４つの柱２１の上に、他の台車２の台２３を載置面が水平となる状態で載せることができる。
【００４１】
図６Ｄに示すように、台車２の台２３の下面には、柱２１に相当する領域の外縁に接する凸部２３ａが設けられる。台車２を他の台車２の上に重ねた場合、上の台車２の凸部２３ａが、下の台車の柱２１に接する。これにより、上の台車２が、下の台車２に対して、横方向にずれないようにすることができる。これにより、上下に重ねた２つの台車２を移動させる時に、上の台車２が下の台車２からずれて落下しにくくなる。なお、図６Ｄに示す例では、台２３の下面に凸部を設けているが、凸部の代わりに、柱２１に相当する領域に凹部を設けてもよい。すなわち、台車２の台２３の下面の柱２１に相当する部分の外縁の少なくとも一部に、段差が設けられてもよい。
【００４２】
多数のタイルカーペットを上下に重ねると、タイルカーペットが、自重により圧迫されてパイルがへたる（パイルが倒れたままとなる）などの問題が生じる場合があることが分かっている。そのため、タイルカーペットの積層数に上限を設けることが好ましい。台車２の柱２１の高さは、タイルカーペットの積層可能上限数に応じて決められることが好ましい。これにより、運搬時にタイルカーペットを、積層可能上限数を超えて積層することが避けられる。その結果、タイルカーペットのパイルのへたりを抑えることができる。積層可能上限数は、例えば、４５枚〜５５枚とすることができる。これに対応して、柱２１の台２３の上面からの高さは、例えば、３６〜４４ｃｍとすることができる。
【００４３】
タイルカーペット専用の台車は、施設内運搬及び施設間運搬の両方に用いることができる。例えば、台車は、タイルカーペットを載せた状態で、上下に２つ重ねて、人が押して運搬することができる。これにより、重ねて積まれた複数のタイルカーペットが自重により圧迫されてパイルがへたるのを抑えることができる。また、タイルカーペットを載せた台車を、トラックに乗せて運搬することもできる。この場合、トラックは、屋根付きの荷台を有する構成とすることができる。トラックの荷台のスペースは、台車を上下に２つ重ねた状態で、荷台に載せられる大きさとすることができる。これにより、積み降ろし時のタイルカーペットの損傷を抑制することができ、また、効率よく運搬することができる。すなわち、タイルカーペットをトラックに載せる時、及びトラックから降ろす時に、タイルカーペットを台車２から降ろす、又は台車に積む必要がない。そのため、タイルカーペットの積み降ろしの回数が減る。その結果、積み降ろしの際にタイルカーペットの端部がすれて劣化するのを抑えることができる。さらに、積み降ろしの作業が減り、作業効率も高くなる。
【００４４】
撤去した再納品ＴＣＰを台車２に載せる際には、同じ品番及びロットの複数の再納品ＴＣＰを同じ台車に載せることが好ましい。これは、タイルカーペットに品番及びロット情報を付すことで可能になる。これにより、後の工程において、同じ品番及び同じロットの複数の再納品ＴＣＰをまとめて取り扱うことが容易になる。
【００４５】
撤去された再納品ＴＣＰは、洗浄ラインを有する施設５０まで直接、または保管場所４０を経て、運ばれて、洗浄ラインに載せられる（図１のＳ３）。例えば、再納品ＴＣＰを台車に載せた状態で洗浄ラインまで運び、台車から直接洗浄ラインに載せることができる。洗浄ラインは、ローラコンベア又はベルトコンベア等の搬送装置を含む。洗浄ラインに載せられた再納品ＴＣＰは、搬送装置により搬送される。また、洗浄ラインは、洗浄装置及び／又は選別装置を有してもよい。
【００４６】
ライン上の再納品ＴＣＰに対して、汚染度が判定される（Ｓ４）。汚染度の判定は、例えば、人が、目視及び特定の薬剤による汚れの落ち具合の結果に基づいて行うことができる。或いは、洗浄ライン上の再納品ＴＣＰを撮影して得られる画像の処理及び／又はその他のセンサによる汚れ度合いの検出結果に基づいて、コンピュータが汚染度の判定を行うこともできる。
【００４７】
コンピュータによる汚染度の判定は、例えば、タイルカーペットの表面の色を測定して数値化することで実行されてもよい。この場合、測定された再納品ＴＣＰの表面の色の値と、標準品の表面の色の値とを比較することで、汚染度を判定することができる。タイルカーペットの表面の色は、例えば、タイルカーペットの表面のＸＹＺ表色系の三刺激値Ｘ、Ｙ、Ｚを測定して得ることができる。測定で得られた被測定面の表面色と標準品の表面色との色差値から汚れの度合いを判定することができる。
【００４８】
本例では、汚染度の小さい順に、良品判定（Ｓ５）、汚染品判定（Ｓ６）、及び不良品判定（Ｓ８）の３段階の判定がなされる。また、敷設現場にて裁断されて異形形状となった再納品ＴＣＰ、いわゆる端物は、不良品判定（Ｓ８）される。例えば、上記３段階は、下記基準により判定できる。
良品判定        汚染がなくそのまま使用可能（汚染なし）
汚染品判定      やや汚れているが洗浄により美観回復可能（軽汚染）
不良品判定      へたりや汚れが目立ち洗浄で回復困難（重汚染）、端物
なお、判定される汚染度の段階数や判定結果の形態は、上記例に限られない。
【００４９】
Ｓ４の判定結果に応じて、各再納品ＴＣＰについて、洗浄するか否か、及び再利用するか否かの選別が行われる。本例では、良品判定された再納品ＴＣＰは洗浄しない。汚染品判定された再納品ＴＣＰは、洗浄する（Ｓ７）。この洗浄には、防汚加工が含まれてもよい。不良品判定された再納品ＴＣＰは、洗浄せず、再利用もしない。ここで、再利用とは、再納品ＴＣＰの形を保ったまま再利用する意味である。再納品ＴＣＰを粉砕その他加工処理して得られる材料を利用する形態（リサイクル）は、本発明における再利用に該当しないものとする。再利用しないと判断された再納品ＴＣＰは、再処理工場へ運ばれる（Ｓ９）。
【００５０】
再納品ＴＣＰは、再処理工場で処理することで、新しいタイルカーペットの材料として再生することができる。例えば、再処理工場で再納品ＴＣＰを処理して、新しいタイルカーペットのバッキング材として再生することができる。
【００５１】
再処理には、一例として、減容処理方法を用いるのが望ましい。減容処理方法では、タイルカーペットを粗粉砕したものを減容装置で減容して、紐状体を得る。この紐状体は、高密度繊維集合体に熱可塑性樹脂が含浸固化したものである。この紐状体を切断して粒状態としてものを、基材上に撒布し、加熱して圧力を加えて熱圧一体成形することで、裏打ち層シート（バッキング材）が得られる。裏打ち層シートに、カーペット生機（表面パイル）を積層することで、タイルカーペットが生成される。カーペット生機は、例えば、原料工場Ｆ３にて、基布にパイルをタフトすることで生成される。カーペット生機の製織工程では、染色されたパイル糸（原着繊維）を基布にタフトしてもよいし、基布にパイル糸をタフトしたものを染色してもよい。裏打ち層シートにカーペット生機を貼ってタイルカーペットを生産する工程は、例えば、ＴＣＰ生産工場Ｆ２で行われる。
【００５２】
このように、減容処理を用いた再生方法は、タイルカーペットの繊維と樹脂を分離することなく粗粉砕する工程、粗粉砕物を減容装置で処理する工程、減容処理で得られた紐状態を切断して粉粒体を得る工程、この粉粒体を熱圧成型してタイルカーペットの裏打ち層を形成する工程、裏打ち層上に表面パイルを積層する工程を含む。これにより、再生材を用いた新しいタイルカーペットが得られる。
【００５３】
上記の減容処理方法を用いた再生方法の例は、上記特許文献２（特開２００３−４１７５９号公報）に記載されている。また、減容装置としては、例えば特開平６−３４４３４３号公報に開示してある装置が使用できる。
【００５４】
上記の減容処理方法では、再納品ＴＣＰを粗粉砕したものを減容処理した高密度繊維集合体を用いて再生材が生成される。そのため、再納品ＴＣＰに含まれるパイル糸、基布、ガラス繊維その他の裏打ち層を構成するのに使用した繊維、等の全てを高密度繊維集合体部分として活用することができる。その結果、材料の再利用率が極めて高くなる。また、減容処理方法よって得られる、高密度繊維集合体は、１５〜５０容量％の繊維を含有しており、タイルカーペットの裏打ち層に用いると、その寸法安定性と強度を高めることができる。こうして、ほぼ１００％の廃棄カーペットの粗粉砕物が新しいタイルカーペットの裏打ち層シートとして活用でき、再利用と合わせて活用することによって、再納品ＴＣＰから出る廃棄物を最小限にすることが可能となる。
【００５５】
図１に示すように、ＴＣＰ生産工場Ｆ２で再生材を用いて生産された新品のタイルカーペットは、保管場所４０に一旦保管してから、敷設施設へ運搬されてもよいし、ＴＣＰ生産工場Ｆ２から直接、敷設施設へ運搬されてもよい。本実施形態によれば、各再納品ＴＣＰは、再利用されるか、又は新しいカーペットの材料として再生されることとなる。そのため、再納品ＴＣＰからの廃棄物の量が少なくなり、環境によい。
【００５６】
良品判定された再納品ＴＣＰ及び洗浄された再納品ＴＣＰは、洗浄ラインから出されて、保管場所４０に載置される（Ｓ１０）。保管場所４０では、同じ品番及び同じロット情報が付された複数の再納品ＴＣＰが、同じパレット上に積載された状態で保管されることが好ましい。例えば、同じ品番及び同じロットの複数の再納品ＴＣＰを箱に入れてもよい。この複数の再納品ＴＣＰが入った箱の複数個をパレットに積んだ状態で、保管することができる。この場合、１パレットに積む箱の数の上限を予め設定することが好ましい。これにより、重ねて積まれた複数の再納品ＴＣＰが自重により圧迫されてパイルがへたるのを抑えることができる。また、各箱には、各箱に入っている再納品ＴＣＰの品番及びロット情報が付されることが好ましい。これにより、箱単位で、再納品ＴＣＰを管理することができ、作業効率を高めることができる。例えば、箱の外表面に品番及びロット情報を印字してもよい。品番及びロット情報は、文字、バーコード、又は、ＱＲコード（登録商標）等で表してもよい。また、品番及びロット情報を記録するためのＩＣタグが箱に取り付けられてもよい。
【００５７】
洗浄された再納品ＴＣＰのロット情報には、洗浄したことを示す情報が付加されてもよい。例えば、Ｓ４の汚染度判定で汚染品判定（Ｓ６）された再納品ＴＣＰのロット識別コードに枝番号等の付加コードが追加されてもよい。これにより、おなじロットの再納品ＴＣＰの中で、洗浄されたものと、洗浄されていないものを異なるロットとして取り扱うことができる。なお、ロット情報に洗浄したことを示す情報を付加する形態は、特定のものに限られない。例えば、上記の枝番号の他、また、ロット情報自体を異なるものに変更してもよい。ロット情報に付加する情報は、ロット情報と同様に、再納品ＴＣＰの裏面に印字されてもよい。或いは、再納品ＴＣＰを保管するパレット又は箱の印字又はＩＣタグへの記録によって、洗浄されたことを示す情報を付加することもできる。また、洗浄の度合いによって、付加する情報を変えてもよい。例えば、防汚処理を含む洗浄をした再納品ＴＣＰと、防汚処理をしない洗浄をした再納品ＴＣＰとを区別できる情報を、ロット情報に付加してもよい。
【００５８】
図７は、保管場所４０（ストックヤード）における棚及び棚に載置される再納品ＴＣＰの例を示す図である。図７に示す例では、棚４は、再納品ＴＣＰの品番が割り当てられた領域を有する。例えば、棚の「Ｅ０１」の領域には、品番１が割り当てられている。棚４の各品番の領域において、対応する品番の同じロットの複数の再納品ＴＣＰ１が同じパレット３０に積載される。すなわち、複数の再納品ＴＣＰ１は、ロット毎にまとめられてパレット３０に積載される。このように、各品番に割り当てられた領域に、対応する品番の再納品ＴＣＰが、同じロットの再納品ＴＣＰが同じパレットに載るように配置される。これにより、品番及びロットを基に再納品ＴＣＰを管理することができる。例えば、特定の品番及びロットの再納品ＴＣＰを搬出する際の作業効率が高くなる。なお、棚４は、可動式であってもよい。
【００５９】
保管場所に保管される再納品ＴＣＰの情報は、タイルカーペット再利用システムに登録される（Ｓ１１）。タイルカーペット再利用システムは、保管された再納品ＴＣＰのデータを管理し、外部から再利用するタイルカーペット要求を受け付けて、要求に合う再納品ＴＣＰの情報を抽出して出力する。
【００６０】
なお、Ｓ１０とＳ１１を同時に行ってもよいし、Ｓ１０をＳ１１の後に行ってもよい。例えば、タイルカーペット再利用システムは、保管しようとする再納品ＴＣＰの情報の入力を受け付けて（Ｓ１１）、受け付けた情報とすでに保管されている他の再納品ＴＣＰの情報とに基づいて、保管しようとする再納品ＴＣＰの保管場所における位置を決定してもよい。この場合、再納品ＴＣＰは、タイルカーペット再利用システムが決定した位置に、運ばれ、載置される（Ｓ１０）。
【００６１】
図８は、タイルカーペット再利用システム（以下、ＴＣＰ再利用システムを称する）の構成例を示す機能ブロック図である。ＴＣＰ再利用システム５は、登録部５１、要求受付部５２、抽出部５３、及び出力部５４を備える。ＴＣＰ再利用システム５は、プロセッサ及びメモリを含む１又は複数のコンピュータで構成することができる。ＴＣＰ再利用システム５の登録部５１、要求受付部５２、抽出部５３、及び出力部５４の各機能は、プロセッサが所定のプログラムを実行することで実現することができる。コンピュータに登録部５１、要求受付部５２、抽出部５３、及び出力部５４の各部の処理を実行させるプログラム及びそのようなプログラムを記録した記録媒体も、本発明の実施形態に含まれる。
【００６２】
また、ＴＣＰ再利用システム５は、端末７ａ、７ｂと接続され、記録部６と接続される。端末７ａ,７ｂは、パーソナルコンピュータなどの入力端末である。記録部６は、ＴＣＰ再利用システム５がアクセス可能なデータ記録装置である。なお、記録部６は、ＴＣＰ再利用システム５に内蔵されてもよい。
【００６３】
登録部５１は、保管場所に載置される再納品ＴＣＰに関する情報の入力を受け付ける。例えば、再納品ＴＣＰを保管作業者の端末７ａを介して、保管場所に載置される再納品ＴＣＰに関する情報が、タイルカーペット再利用システム５の登録部５１に対して入力される。再納品ＴＣＰに関する情報には、例えば、棚４に保管された使用済みＴＰＣの品番、ロット情報、保管場所への保管時期（例えば、棚４に再納品ＴＣＰを搬入した搬入日）、保管位置等が含まれてもよい。これらの情報は、例えば、保管作業者が、端末７ａに対して入力することができる。登録部５１は、入力された情報に基づいて、少なくとも再納品ＴＣＰの品番、ロット情報、及び保管時期を示す情報を対応付けて記録部６に記録する。
【００６４】
図９は、登録部５１によって記録部６に記録された再納品ＴＣＰのデータの構成例を示す図である。図９に示す例では、保管場所にある再納品ＴＣＰの品番、ロット番号、数量、保管時期（搬入日）、及び保管位置が対応付けられて記録されている。このように、品番とロット番号を対応付けて記録することで、同じ品番で同じロットの再納品ＴＣＰの保管状況を管理することができる。保管位置は、対応する品番及びロット番号の再納品ＴＣＰが載置されるパレットの位置を示す情報の一例である。
【００６５】
なお、本例では、一例として、保管時期を示す情報を搬入日とする場合について説明するが、保管時期を示す情報は、搬入日に限られない。例えば、その他の保管開始時を示す情報、又は保管期間等が、保管時期を示す情報として記録されてもよい。
【００６６】
登録部５１に対する保管された再納品ＴＣＰのデータの入力は、自動的に行われてもよい。例えば、棚４の各領域に、ＩＣタグのデータの読み取り機が備えられてもよい。読み取り機は、パレット、箱又は再納品ＴＣＰに付されたＩＣタグのデータを読み取り、位置情報を付加して、登録部５１に送信してもよい。読み取り機が読み取ったＩＣタグのデータを、登録部５１が受信する。これにより、ＩＣタグに記録された、品番、ロット情報、保管時期の情報と、保管位置を示す情報を、登録部５１が、自動的に取得することができる。すなわち、品番及びロット情報と、保管位置の情報との自動的な対応付け（自動マッピング）が可能になる。
【００６７】
ＴＣＰ再利用システム５の要求受付部５２は、新たに敷設しようとするタイルカーペットの品番、及び、敷設エリア毎のタイルカーペットの数量の入力を受け付ける（図１のＳ１２参照）。要求受付部５２は、例えば、受注担当者又は施行担当者の端末７ｂから、タイルカーペットの要求情報を受信する。要求情報は、例えば、タイルカーペットの品番、及び、敷設エリア毎の数量が含まれる。これらの情報は、例えば、受注担当者が端末７ｂに対して入力することができる。一例として、受注担当者は、再納品ＴＣＰを再利用しようとする現場における敷設エリアごとの敷設枚数を、端末７ｂを介して、要求受付部５２に入力することができる。
【００６８】
ＴＣＰ再利用システム５の抽出部５３は、記録部６にアクセスして、要求受付部５２が受け付けた要求に応じた再納品ＴＣＰの情報を抽出する（図１のＳ１３参照）。抽出部５３は、要求受付部５２で受け付けた品番と同じ品番の再納品ＴＣＰであって、ロット情報及び保管時期が予め決められた条件を満たす再納品ＴＣＰを、敷設エリア毎に、要求された数量ずつ抽出する。例えば、抽出部５３は、各敷設エリアについて要求された枚数の再納品ＴＣＰを、ロット数が予め決められた範囲内となるように、保管期間が長い順、すなわち搬入日（保存開始時）が古い順に抽出することができる。
【００６９】
抽出部５３が抽出した再納品ＴＣＰの情報は、敷設エリアに敷設するためのタイルカーペットの情報として、出力部５４により出力される。出力される情報は、例えば、抽出した再納品ＴＣＰの品番、ロット情報、保管位置等を含んでもよい。例えば、要求受付部５２に要求を送信した端末７ｂに、上記情報が出力される。
【００７０】
１つの敷設エリアには、品番が同じでロット番号の異なる複数の再納品ＴＣＰが敷設されることがある。例えば、１つの敷設エリアに、品番１でロット番号４２５の再納品ＴＣＰが５０枚、品番１でロット番号２１０の使用済みＣＰが５０枚敷設される場合、ロット番号の種類の総数（すなわち「ロット数」）は、「２」となる。１つの敷設エリアの再納品ＴＣＰのロット数が多くなりすぎると、色むらなどが目立ち易くなる場合があることが発明者らによって見出されている。そこで、ロット数の上限値を、閾値、例えば「３」として設定し管理することで、品質の安定した再納品ＴＣＰを供給することができる。なお、本明細書においてロットの違いによる「色むら」とは、隣接して敷設される複数のタイルカーペットにおいて、タイルカーペット間で色調の違いが視認されることをいう。また、敷設エリアにおけるロット数を調整することによって、敷設エリアにおけるロットの差による色調の差をある程度コントロールできることが、発明者らによって見出されている。そのため、再納品ＴＣＰを抽出する際に敷設エリアにおけるロット数の条件を設定することで、敷設エリアのタイルカーペットの質感を向上又は維持することが可能になる。
【００７１】
図１０は、１つの敷設エリアに敷設するための再納品ＴＣＰを抽出し出力する処理（図１のＳ１２，Ｓ１３）の一例を示すフローチャートである。図１０に示す例では、抽出部５３は、要求受付部５２が受け付けた要求されるタイルカーペットの品番、及び数量（要求品番及び要求数量と称する）を入力する（Ｓ１０１）。
【００７２】
抽出部５３は、記録部６に記録された再納品ＴＣＰのデータを参照し、品番が要求品番と同じ（品番＝要求品番）、且つ、保管期間が最も長いすなわち搬入日が最も古い再納品ＴＣＰのデータを抽出する（Ｓ１０２）。抽出できた場合、抽出部５３は、抽出した再納品ＴＣＰのデータを候補ＴＣＰデータに追加する（Ｓ１０３）。Ｓ１０２で条件を満たす再納品ＴＣＰを抽出できなかった場合は、出力部５４は、候補ＴＣＰの情報として、要求を満たす再納品ＴＣＰがないことを出力する（Ｓ１１１）。この場合、出力部５４は、要求数量に対する不足分を、新品のタイルカーペットで補充することを指示する情報を出力してもよい。
【００７３】
抽出された候補ＴＣＰの数量が要求数量以上であれば（Ｓ１０４でＹＥＳ）、出力部５４は、その候補ＴＣＰの情報を、敷設エリアに敷設するためのタイルカーペットの情報として出力する（Ｓ１１１）。抽出された候補ＴＣＰの数量が要求数量未満であり（Ｓ１０３でＮＯ）、且つ、候補ＴＣＰの総ロット数が閾値未満の場合（Ｓ１０４でＮＯ）、抽出部５３は、記録部６に記録された再納品ＴＣＰのデータを参照し、品番が要求品番と同じ、且つ、保管期間が次に長いすなわち搬入日が次に古い再納品ＴＣＰのデータを抽出する（Ｓ１０６）。Ｓ１０６で抽出された再納品ＴＣＰのデータは、候補ＴＣＰデータに追加される（Ｓ１０７）。
【００７４】
Ｓ１０６で条件を満たす再納品ＴＣＰが抽出されなかった場合、出力部５４は、候補ＴＣＰの情報を、敷設エリアに敷設するためのタイルカーペットの情報として出力する（Ｓ１１１）。この場合、出力される候補ＴＣＰのロット数は閾値に達していない。また、候補ＴＣＰとして出力される再納品ＴＣＰの数量は、要求数量に満たないことになる。要求数量に満たない分は、例えば、新品のタイルカーペットで補充することができる。補充する複数のタイルカーペットは同じロットのものとする。これにより、敷設エリアに敷設されるタイルカーペットのロット数は、閾値以下となる。また、出力部５４は、要求数量に対する不足分を、新品のタイルカーペットで補充することを指示する情報を出力してもよい。
【００７５】
Ｓ１０７の後、抽出部５３は、Ｓ１０４、Ｓ１０５の判断処理を繰り返し、抽出した候補ＴＣＰの総数が要求数量に達するか、抽出した候補ＴＣＰのロット総数が閾値に達するまで、Ｓ１０６、Ｓ１０７の候補ＴＣＰの追加処理を繰り返す。候補ＴＣＰの総数が要求数量に達すると（Ｓ１０４でＹＥＳ）、出力部５４が、その時の候補ＴＣＰの情報を出力する（Ｓ１１１）。候補ＴＣＰのロット総数が閾値に達した場合（Ｓ１０５でＹＥＳ）、抽出部５３は、品番が要求品番と同じ、且つ、保管期間が次に長いすなわち搬入日が次に古い再納品ＴＣＰのデータを抽出する（Ｓ１０８）。抽出部５３は、抽出した再納品ＴＣＰを、候補ＴＣＰのうち数量が最も少ないロットの使用済みＴＰＣと入れ替える（Ｓ１０９）。すなわち、抽出部５３は、新たに抽出した再納品ＴＣＰを候補ＴＣＰに追加し、元々候補ＴＣＰに含まれていた使用済み数量が最小のロットの再納品ＴＣＰを候補ＴＣＰから外す。以降は、候補ＴＣＰの数量が要求数量に達する（Ｓ１０３でＹＥＳ）まで、Ｓ１０８、Ｓ１０９が繰り返される。
【００７６】
Ｓ１０８において、条件を満たす再納品ＴＣＰが抽出できなかった場合、抽出部５３は、候補ＴＣＰに含まれていた数量が最小のロットの再納品ＴＣＰを候補ＴＣＰから外す（Ｓ１１０）。これにより、候補ＴＣＰのロット数が１つ減る。出力部５４は、候補ＴＣＰの情報を、敷設エリアに敷設するためのタイルカーペットの情報として出力する（Ｓ１１１）。この場合、候補ＴＣＰとして出力される再納品ＴＣＰの数量は、要求数量に満たないことになる。要求数量に満たない分は、例えば、新品のタイルカーペットで補充することができる。補充する複数のタイルカーペットは同じロットのものとする。これにより、敷設エリアに敷設されるタイルカーペットのロット数は、閾値以下となる。また、出力部５４は、要求数量に対する不足分を、新品のタイルカーペットで補充することを指示する情報を出力してもよい。
【００７７】
また、Ｓ１１０では、上記処理に代えて、候補ＴＣＰに含まれていた保管期間が最も短いすなわち搬入日が最も新しいロットの再納品ＴＣＰを候補ＴＣＰから外す処理を実行してもよい。これによって、保管期間が長い再納品ＴＣＰを候補として優先的に選択し、出荷することができる。
【００７８】
図１０に示す処理を敷設エリアごとに実行することにより、各敷設エリアについて要求された枚数の再納品ＴＣＰを、ロット数が閾値以下となるように、保管期間が長い順に抽出することができる。なお、図１０に示す処理は、一例であり、再納品ＴＣＰを抽出する処理は、上記例に限られない。
【００７９】
ＴＣＰ再利用システム５で抽出し出力された再納品ＴＣＰが、棚４から搬出、すなわち取り出される（図１のＳ１４）。上記したように、同じ品番で同じロットの再納品ＴＣＰを同じパレットに載せて保管することで、このＳ１３の工程において、パレット単位で搬出することが可能になる。そのため、搬出の作業効率が高くなる。また、取り出した再納品ＴＣＰにロットの異なる再納品ＴＣＰが含まれている場合、ロットの違いによる色むら等の有無を検査する検査工程が設けられてもよい。
【００８０】
保管場所から取り出された再納品ＴＣＰは、敷設する現場まで運搬される（Ｓ１５）。再納品ＴＣＰは、上記の台車に載せた状態で、保管場所から現場まで運搬することができる。
【００８１】
再納品ＴＣＰは、現場にて、敷設エリアに敷設される（Ｓ１６）。図１１は、敷設エリアに敷設されるタイルカーペットの配置例を説明するための図である。敷設されるタイルカーペットは、再納品ＴＣＰ及び新品のタイルカーペットを含んでいてもよい。図１１に示す例では、敷設エリアＦＡ内の３つのエリアＡ１、Ａ２、Ａ３に、それぞれ、ロットが異なるタイルカーペットが敷設される。すなわち、敷設エリアの中央部のエリアＡ１、Ａ２に敷設されるタイルカーペットのロットと、敷設エリアの周辺部Ａ３に敷設されるタイルカーペットのロットは異なる。このように、ロットの異なるタイルカーペットを中央部及び周辺部に配置することで、ロットの違いによるタイルカーペットの微妙な差が目立ちにくくなる。例えば、周辺部は、家具や窓からの光などの影響で色むらが視認され難くなることが多い。そのため、図１１に示すように、最も枚数の少ないロットのタイルカーペットを周辺部Ａ３に敷設することで、ロットの違いによる色むらを目立ち難くすることができる。
【００８２】
また、各タイルカーペットは、方向を有する場合が多い。具体的には、パイル列が一方向に形成されることが多い。各タイルカーペットの方向は、例えば、各タイルカーペットの裏面に、製造ラインの搬送方向が矢印で示される。タイルカーペットの貼り方（敷設方法）には、例えば、隣り合うタイルカーペットの方向が同じになるように複数のタイルカーペットを貼る「流し貼り」と、隣り合うタイルカーペットの方向が異なるように複数のタイルカーペットを貼る「市松貼り」がある。１つの敷設エリアに敷設するタイルカーペットのロット数が増えた場合、例えば、市松貼りにすることで、色むらをより目立ち難くすることができる。
【００８３】
本実施形態によれば、複数の異なるロットの再納品ＴＣＰを１つの敷設エリアに敷設して再利用した場合に、ロットの違いによる色調の差を考慮して、敷設エリアにおけるタイルカーペットの質感を確保することができる。そのため、例えば、複数のエリア、複数のフロア、及び複数の施設から撤去した再納品ＴＣＰを保管しておき、要求がある場合に、品質を保って再利用することが可能になる。
【００８４】
（洗浄工程の例）
ここで、再納品ＴＣＰの洗浄工程（図１のＳ７）の例を説明する。図１２は、洗浄工程の例を示す図である。図１３は、図１２に示す洗浄工程で用いられる洗浄ラインの構成例を示す上面図である。図１２に示す例では、タイルカーペットが洗浄ラインの搬送装置３１ａに載せられ搬送される（Ｓ７１）。搬送装置３１ａは、例えば、ベルトコンベヤ、ローラコンベア又はこれらの組み合わせで構成することができる。タイルカーペットは、例えば、搬送装置に、表面が上になるように載せられ、水平方向に搬送される。
【００８５】
搬送装置上のタイルカーペットは、第１の方向にブラシをかけて洗浄される（Ｓ７２）。Ｓ７２の第１の方向の洗浄には、図１３に示す洗浄装置３２ａが用いられる。洗浄装置３２ａは、搬送方向に垂直な方向を回転軸とするローラブラシ３３ａを有する。例えば、第１の方向の洗浄は、このローラブラシを、搬送装置３１ａ上のタイルカーペットの表面に適当な圧で押し付けて、パイルを圧迫した状態で回転させることで行われる。
【００８６】
洗浄には、アニオンまたはノニオンの中性洗剤液を用いるのが望ましい。中性洗剤液の温度は３０℃以上の比較的高い温度が好適である。なお、汚染度の大きいタイルカーペットは、洗浄後に８５〜１００℃で乾燥した後、再度洗浄することができる。このような洗浄ラインを用いることで、タイルカーペットは直ちに乾燥されるので、パイル変色などの不具合の発生を抑制できる。
【００８７】
図１２に戻り、第１の方向の洗浄の後、搬送装置上で搬送方向に対するタイルカーペットの向きを変更する（Ｓ７３）。例えば、洗浄ライン上のタイルカーペットを、搬送方向の異なるコンベアに乗せ換えてもよいし、同じコンベア上でタイルカーペットを、垂直方向を軸に回転させてもよい。図１３に示す例では、タイルカーペットは、洗浄装置３２ａで洗浄された後、搬送装置３１ａから、搬送方向の異なる搬送装置３１ｂに乗せ換えられる。搬送装置３１ａの搬送路の終端には、板３４が設けられる。搬送装置３１ａで搬送されるタイルカーペット１は、搬送路の終端において、板３４に当たることで、搬送装置３１ｂに移動する。これにより、搬送方向に対するタイルカーペットの向きが変わる。
【００８８】
図１２に戻り、洗浄ライン上で向きが変えられたタイルカーペット１は、第１の方向とは異なる第２の方向にブラシをかけて洗浄される（Ｓ７４）。Ｓ７４の第２の方向の洗浄には、図１３に示す洗浄装置３２ｂが用いられる。洗浄装置３２ｂは、搬送方向に垂直な方向を回転軸とするローラブラシ３３ｂを有する。第２の方向の洗浄は、例えば、第１の方向の洗浄と同様に、ローラブラシ３３ｂを、搬送装置上のタイルカーペットの表面に押し付けて回転させることで行われる。例えば、第２の方向は、第１の方向に対して面方向に９０°異なるように設定することで、効率よく洗浄を行うことができる。
【００８９】
図１２に戻り、第２の方向の洗浄後、タイルカーペット１は、ライン上で脱水（Ｓ７５）及び乾燥（Ｓ７６）される。このように、本実施形態の洗浄工程は、搬送路上に表面を上にして搬送されるタイルカーペットに第１の方向にブラシをかけて洗浄する工程と、搬送方向に対するタイルカーペットの向きを変える工程と、向きが変えられたタイルカーペットに対して、第１の方向とは異なる第２の方向にブラシをかけて洗浄する工程とを含む。これにより、品質の高い洗浄を効率よく行うことができる。
【００９０】
また、本実施形態の洗浄ラインは、タイルカーペットを搬送する搬送装置と、搬送装置で搬送されるタイルカーペットに対して第１の方向にブラシをかける第１洗浄装置と、第１洗浄装置で洗浄され搬送装置で搬送されるタイルカーペットの搬送方向に対する向きを変更させる向き変更手段と、向き変更手段で向きが変更されたタイルカーペットに対して第１の方向とは異なる第２の方向にブラシをかける第２洗浄装置とを備える。
【００９１】
また、洗浄工程後のタイルカーペットについて、洗浄検査工程を設けてもよい。洗浄検査工程で、タイルカーペットを、良品、不良品に分類してもよい。例えば、下記の基準に基づいて分類できる。不良品は、再処理工場Ｆ１（図１のＳ９）へ搬送される。
良品    汚れが奇麗に洗浄されており、風合い、美観ともに優れる
不良品  汚れが奇麗にとれていない
【００９２】
以上、本発明の実施形態について説明したが、本発明は、上記実施形態に限定されない。例えば、保管場所４０、洗浄ラインを有する施設５０、再処理工場Ｆ１、ＴＣＰ生産工場Ｆ２、原料工場Ｆ３の構成及びこれらの間の運搬手段は、図２に示す例に限られない。保管場所４０、洗浄ラインを有する施設５０、再処理工場Ｆ１、ＴＣＰ生産工場Ｆ２、及び原料工場Ｆ３の少なくとも２つが、同じ建屋で構成されてもよいし、これらのうち少なくとも１つは、離れた場所にある複数の建屋で構成されてもよい。これらの設備間のタイルカーペットの運搬は、台車２のみを用いて行われてもよいし、トラックを用いて行われてもよい。例えば、図２では、洗浄ラインを有する施設５０と保管場所４０の間は、再納品ＴＣＰが台車２で運搬される例が示されているが、この運搬にトラックが用いられてもよい。
【００９３】
図２に示す例では、基布にパイルをタフトして生機を生成する工程と、生機に裏打ち層を貼り付けるバッキング工程とが、異なる工場すなわち製造ラインで行われる。このように、タイルカーペットの生産に複数の製造ラインが含まれる場合、タイルカーペット表面の仕上がりに比較的大きく貢献する工程（本実施形態では生機を生成する工程）の製造ラインのロット情報を、本発明におけるロット情報とすることができる。なお、本発明におけるロット情報には、複数の製造ラインのロットの情報が含まれてもよい。
【００９４】
ＴＣＰ再利用システムは、再納品ＴＣＰに加えて、新品タイルカーペット及び敷設中のタイルカーペットのデータを管理してもよい。例えば、ＴＣＰ生産工場Ｆ２で生産された新品タイルカーペットの品番、ロット情報、及び保管時期を示す情報（例えば、生産日）等を対応付けて記録部６にしてもよい。この場合、抽出部５３は、条件を満たす再納品ＴＣＰが不足する場合に、不足分を補う新品タイルカーペットの情報を、記録部６のデータから抽出することができる。具体例として、抽出部５３は、品番が要求された品番と同じで、且つ、不足分を補う数量の同じロットの新品タイルカーペットを抽出することができる。
【００９５】
上記例では、施設から撤去された再納品ＴＣＰは、一旦、保管場所４０に保管された後、別の又は同じ施設に運搬されて再敷設される。撤去された再納品ＴＣＰは、保管場所４０を経由せずに、再敷設される施設に運搬されてもよい。例えば、図２に示すように、再納品ＴＣＰは、洗浄ラインの有する施設５０から、保管場所４０を経ずに再敷設される施設へ運搬されてもよい。この場合、保管時期を示す情報は、例えば、撤去日、又は洗浄ラインへの搬入日等とすることができる。このように、保管時期を示す情報は、撤去された後の保管期間を特定するための情報とすることができる。
【００９６】
また、ＴＣＰ再利用システムは、例えば、新品タイルカーペットの生産管理システム、在庫管理システム、納品先管理システム、及び、再生材の生産管理システム等の他のシステムとデータを共有し連携してもよい。
【００９７】
ＴＣＰ再利用システムは、保管場所の棚４、洗浄ライン、再処理工場Ｆ１の減容装置、ＴＣＰ生産工場Ｆ２及び原料工場Ｆ３の製造ラインの少なくとも１つからデータを取得する機能、及び／又は、これらの少なくとも１つを制御する機能を有してもよい。
【００９８】
例えば、上述したように、保管場所４０の棚４は、棚４に載置されたパレット、箱又はタイルカーペットに付されたＩＣタグの読み取り機を備えてもよい。ＴＣＰ再利用システムは、保管場所４０の読み取り装置が読み取ったデータを受信して、保管場所４０にある再納品ＴＣＰの品番、ロット情報、保管時期を示す情報、保管位置等を記録部６に記録することができる。
【００９９】
また、棚４は、パレット、箱又はタイルカーペットを棚へ積み、棚から降ろす自動積み降ろし装置を備えてもよい。この場合、ＴＣＰ再利用システムは、自動積み降ろし装置を制御して、抽出部５３が抽出した再納品ＴＣＰを、棚４から降ろすことができる。或いは、ＴＣＰ再利用システムが決定した位置に、再納品ＴＣＰを載置するよう、自動積み降ろし装置を制御することもできる。
【０１００】
また、ＴＣＰ再利用システムは、洗浄ラインの搬送装置における再納品ＴＣＰの表面の色を測定するセンサ、及び選別装置と通信可能であってもよい。この場合、ＴＣＰ再利用システムが、センサからの情報を基に再納品ＴＣＰの汚染度の判定処理を実行し、選別装置を制御して、汚染度判定結果に基づく選別を自動的に行うことができる。このようにして、例えば、図１に示すＳ４〜Ｓ１４は、ＴＣＰ利用システムのコンピュータによって自動で処理することが可能である。また、Ｓ４〜Ｓ１４の一部を自動化することもできる。
【符号の説明】
【０１０１】
１  再納品タイルカーペット
５  タイルカーペット再利用システム
５１  登録部
５２  要求受付部
５３  抽出部
５４  出力部
６  記録部
３０  パレット
【図１】
2019133338.tif 000003
【図２】
2019133338.tif 000004
【図３】
2019133338.tif 000005
【図４】
2019133338.tif 000006
【図５】
2019133338.tif 000007
【図６Ａ】
2019133338.tif 000008
【図６Ｂ】
2019133338.tif 000009
【図６Ｃ】
2019133338.tif 000010
【図６Ｄ】
2019133338.tif 000011
【図６Ｅ】
2019133338.tif 000012
【図７】
2019133338.tif 000013
【図８】
2019133338.tif 000014
【図９】
2019133338.tif 000015
【図１０】
2019133338.tif 000016
【図１１】
2019133338.tif 000017
【図１２】
2019133338.tif 000018
【図１３】
2019133338.tif 000019